(57)【特許請求の範囲】
【請求項１】
画像のピントを任意に調整する調整手段と、
前記調整手段で任意に調整されたピント状態が合焦状態か否かを判別する判別手段と、
前記判別手段で前記合焦状態であると判別された場合には、表示対象となる画像に対して特殊な表示形態による強調表示を施すことなく表示する第１表示制御手段と、
前記判別手段で前記合焦状態に無いと判別された場合には、当該合焦状態に対する前記ピント状態に対するずれの度合を複数のレベルで判別し、その判別された各レベルに応じて、前記表示対象となる画像を、その画像が合焦状態に無いことを示す特殊な表示形態で、且つそのずれの度合いが何れのレベルなのかに応じて前記表示形態を複数に異ならせて強調表示する第２表示制御手段と、
を具備したことを特徴とする表示制御装置。
【請求項２】
前記特殊な表示形態は、前記画像の色を異ならせる表示形態であり、
前記第２表示制御手段は、前記判別手段で前記合焦状態に無いと判別された場合に判別された前記ずれの度合いの各レベルに応じて前記画像の色を異ならせて表示制御する、
ことを特徴とする請求項１記載の表示制御装置。
【請求項３】
前記第２表示制御手段は、前記画像の色を異ならせて表示制御する際は、当該画像の画像全体に対する色、あるいは当該画像の中で一部の領域における色を異ならせて表示制御する、
ことを特徴とする請求項１又は２に記載の表示制御装置。
【請求項４】
画像のピントを任意に調整する調整手段と、
前記調整手段で任意に調整されたピント状態が合焦状態か否かを判別する判別手段と、
前記判別手段で前記合焦状態であると判別された場合には、表示対象となる画像の明るさを明るくして表示することで現在のピント状態が合焦状態にあることを識別表示する第１表示制御手段と、
前記判別手段で前記合焦状態に無いと判別された場合には、当該合焦状態に対する前記ピント状態に対するずれの度合を複数のレベルで判別し、その判別された各レベルに応じて、前記表示対象となる画像の明るさを暗くして表示することで現在のピント状態が合焦状態に無いことを識別表示し、且つ前記ずれの度合いが何れのレベルなのかに応じて前記画像の明るさを暗くする割合を異ならせて表示する第２表示制御手段と、
を具備したことを特徴とする表示制御装置。
【請求項５】
前記第１表示制御手段は、前記表示対象となる画像に対する画像出力のレベルを増すことで通常よりも明るくして表示制御し、
前記第２表示制御手段は、前記表示対象となる画像に対する画像出力のレベルを減らすことで通常よりも暗くし、更に前記ずれの度合いが何れのレベルなのかに応じて前記画像出力のレベルを減らす割合を異ならせて表示制御する、
ことを特徴とする請求項４載の表示制御装置。
【請求項６】
前記第１表示制御手段と前記第２表示制御手段とによる前記画像の明るさを変更することの表示制御は、前記調整手段により前記ピントの調整が行われた際に一時的に表示制御し、その後は元の状態に戻るよう制御する、
ことを特徴とする請求項４又は５に記載の表示制御装置。
【請求項７】
画像のピントを任意に調整する調整ステップと、
前記調整ステップで任意に調整されたピント状態が合焦状態か否かを判別する判別ステップと、
前記判別ステップで前記合焦状態であると判別された場合には、表示対象となる画像に対して特殊な表示形態による強調表示を施すことなく表示する第１表示制御ステップと、
前記判別ステップで前記合焦状態に無いと判別された場合には、当該合焦状態に対する前記ピント状態に対するずれの度合を複数のレベルで判別し、その判別された各レベルに応じて、前記表示対象となる画像を、その画像が合焦状態に無いことを示す特殊な表示形態で、且つそのずれの度合いが何れのレベルなのかに応じて前記表示形態を複数に異ならせて強調表示する第２表示制御ステップと、
を備えたことを特徴とするピント状態表示方法。
【請求項８】
画像のピントを任意に調整する調整ステップと、
前記調整ステップで任意に調整されたピント状態が合焦状態か否かを判別する判別ステップと、
前記判別ステップで前記合焦状態であると判別された場合には、表示対象となる画像の明るさを明るくして表示することで現在のピント状態が合焦状態にあることを識別表示する第１表示制御ステップと、
前記判別ステップで前記合焦状態に無いと判別された場合には、当該合焦状態に対する前記ピント状態に対するずれの度合を複数のレベルで判別し、その判別された各レベルに応じて、前記表示対象となる画像の明るさを暗くして表示することで現在のピント状態が合焦状態に無いことを識別表示し、且つ前記ずれの度合いが何れのレベルなのかに応じて前記画像の明るさを暗くする割合を異ならせて表示する第２表示制御ステップと、
を備えたことを特徴とするピント状態表示方法。
【請求項９】
コンピュータによって実行されるプログラムであって、
前記コンピュータを、
画像のピントを任意に調整する調整機能と、
前記調整機能で任意に調整されたピント状態が合焦状態か否かを判別する判別機能と、
前記判別機能で前記合焦状態であると判別された場合には、表示対象となる画像に対して特殊な表示形態による強調表示を施すことなく表示する第１表示制御機能と、
前記判別機能で前記合焦状態に無いと判別された場合には、当該合焦状態に対する前記ピント状態に対するずれの度合を複数のレベルで判別し、その判別された各レベルに応じて、前記表示対象となる画像を、その画像が合焦状態に無いことを示す特殊な表示形態で、且つそのずれの度合いが何れのレベルなのかに応じて前記表示形態を複数に異ならせて強調表示する第２表示制御機能と、
を実現することを特徴とするプログラム。
【請求項１０】
コンピュータによって実行されるプログラムであって、
前記コンピュータを、
画像のピントを任意に調整する調整機能と、
前記調整機能で任意に調整されたピント状態が合焦状態か否かを判別する判別機能と、
前記判別機能で前記合焦状態であると判別された場合には、表示対象となる画像の明るさを明るくして表示することで現在のピント状態が合焦状態にあることを識別表示する第１表示制御機能と、
前記判別機能で前記合焦状態に無いと判別された場合には、当該合焦状態に対する前記ピント状態に対するずれの度合を複数のレベルで判別し、その判別された各レベルに応じて、前記表示対象となる画像の明るさを暗くして表示することで現在のピント状態が合焦状態に無いことを識別表示し、且つ前記ずれの度合いが何れのレベルなのかに応じて前記画像の明るさを暗くする割合を異ならせて表示する第２表示制御機能と、
を実現することを特徴とするプログラム。
【発明の詳細な説明】
【技術分野】
【０００１】
本発明は、画像のピント状態を表示する表示制御装置、方法及びプログラムに関する。  
【背景技術】
【０００２】
スクリーン上に任意の画像を投影する投影装置（プロジェクタ）において、その投影装置からスクリーンまでの距離を測定する場合に、通常、測距用のパターン画像が用いられ、そのパターン画像のコントラストの変わる箇所（通常、白の部分）を測定ポイントとして位相差センサにて感知して距離を算出している（例えば、特許文献１参照）。
【０００３】
前記パターン画像を用いた測定ポイントは少なくとも３箇所あり、これらの測定ポイントに対して測距を行うことでスクリーン投影面の傾き角度を検出し、そこに投影された画像の歪みを補正する。なお、投影画像の歪みを補正することを、歪みの形状が台形であることから「台形補正」と呼ばれている。
【０００４】
一方、この種の投影装置では、前記位相差センサにて得られたスクリーンまでの距離に基づいて台形補正の処理と同時に合焦処理を行い、投影画像のピントを自動調整するオートフォーカス機能を備えたものもある。
【先行技術文献】
【特許文献】
【０００５】
【特許文献１】特開２００３−２０４４９５号公報
【発明の概要】
【発明が解決しようとする課題】
【０００６】
オートフォーカス機能を備えていない投影装置では、ユーザが手動操作によりピントを調整する必要がある。また、たとえオートフォーカス機能を備えていても正確にピントが合わないことがあり、後でユーザが手動にて微調整することもある。
【０００７】
このような場合、ユーザがスクリーンに投影表示された画像を見ながら所定の操作によりピントを調整することになるが、いつピントが合ったのか、その見極めが難しい。このため、投影画像を注視しながら、何度もピント調整操作を行う必要があった。
【０００８】
本発明は、画像を見ながら、簡単かつ正確にピントを合わせることができるようにすることにある。  
【課題を解決するための手段】
【０００９】
請求項１記載の発明は、画像のピントを任意に調整する調整手段と、前記調整手段で任意に調整されたピント状態が合焦状態か否かを判別する判別手段と、前記判別手段で前記合焦状態であると判別された場合には、表示対象となる画像に対して特殊な表示形態による強調表示を施すことなく表示する第１表示制御手段と、前記判別手段で前記合焦状態に無いと判別された場合には、当該合焦状態に対する前記ピント状態に対するずれの度合を複数のレベルで判別し、その判別された各レベルに応じて、前記表示対象となる画像を、その画像が合焦状態に無いことを示す特殊な表示形態で、且つそのずれの度合いが何れのレベルなのかに応じて前記表示形態を複数に異ならせて強調表示する第２表示制御手段と、を具備して構成される。
請求項４記載の発明は、画像のピントを任意に調整する調整手段と、前記調整手段で任意に調整されたピント状態が合焦状態か否かを判別する判別手段と、前記判別手段で前記合焦状態であると判別された場合には、表示対象となる画像の明るさを明るくして表示することで現在のピント状態が合焦状態にあることを識別表示する第１表示制御手段と、前記判別手段で前記合焦状態に無いと判別された場合には、当該合焦状態に対する前記ピント状態に対するずれの度合を複数のレベルで判別し、その判別された各レベルに応じて、前記表示対象となる前記画像の明るさを暗くして表示することで現在のピント状態が合焦状態に無いことを識別表示し、且つ前記ずれの度合いが何れのレベルなのかに応じて前記画像の明るさを暗くする割合を異ならせて表示する第２表示制御手段と、を具備して構成される。
【発明の効果】
【００１０】
本発明によれば、画像を見ながら簡単かつ正確にピントを合わせることができる。  
【図面の簡単な説明】
【００１１】
【図１】図１は本発明の第１の実施形態に係る投影装置として小型のプロジェクタ装置に例にした場合の外観構成を示す図であり、図１（Ａ）は上から見た場合の斜視図、同図（Ｂ）は下から見た場合の斜視図である。
【図２】図２は同実施形態におけるプロジェクタ装置の電子回路の機能構成を示すブロック図である。
【図３】図３は同実施形態におけるプロジェクタ装置のレンズ位置と合焦距離との関係を説明するための図であり、図３（Ａ）はレンズ位置、同図（Ｂ）はレンズ位置と合焦距離との対応データを記憶したテーブルの一例を示す図である。
【図４】図４は三角測距の原理について説明するための図である。
【図５】図５は多点測距について説明するための図である。
【図６】図６は位相差センサとスクリーンとの位置関係を示す図である。
【図７】図７は同実施形態におけるプロジェクタ装置の測距時に用いられるチャート画像の一例を示す図であり、図７（Ａ）は垂直測距用に用いられる縦チャート画像の一例を示す図、同図（Ｂ）は水平測距用に用いられる横チャート画像の一例を示す図である。
【図８】図８は同実施形態におけるプロジェクタ装置の自動合焦と自動台形補正の処理内容を示すフローチャートである。
【図９】図９は同実施形態におけるプロジェクタ装置によるピント調整処理の動作を示すフローチャートである。
【図１０】図１０は同実施形態におけるプロジェクタ装置の合焦距離取得処理の詳細を示すフローチャートである。
【図１１】図１１は同実施形態におけるプロジェクタ装置によるピント状態の表示処理の詳細を示すフローチャートである。
【図１２】図１２は同実施形態における投影画面の明るさの変化例を示す図であり、図１２（Ａ）は投影画面を暗くした状態、同図（Ｂ）は投影画面を明るくした状態、同図（Ｃ）は投影画面をやや暗くした状態を表している。
【図１３】図１３は本発明の第２の実施形態におけるプロジェクタ装置によるピント状態の表示処理の詳細を示すフローチャートである。
【図１４】図１４は同実施形態において色を変えて強調する場合の方法を説明するための図である。
【図１５】図１５は同実施形態における強調表示の一例を示す図であり、図１５（Ａ）は第１レベルで特定色を強調表示した状態、同図（Ｂ）は非強調表示の状態、同図（Ｃ）は第２レベルで特定色を強調表示した状態を表している。
【図１６】図１６は本発明の第３の実施形態における表示体の記憶領域を示す図である。
【図１７】図１７は同実施形態におけるプロジェクタ装置によるピント状態の表示処理の詳細を示すフローチャートである。
【図１８】図１８は同実施形態における記号表示の一例を示す図であり、図１８（Ａ）は記号１の画像を表示した状態、同図（Ｂ）は記号２の画像を表示した状態、同図（Ｃ）は記号３の画像を表示した状態を表している。
【図１９】図１９は同実施形態の変形例としてイラストを表示する場合の記憶領域を示す図である。
【図２０】図２０は同実施形態の変形例としてイラストを表示する場合のピント状態の表示処理の詳細を示すフローチャートである。
【図２１】図２１は同実施形態の変形例としてイラストを表示する場合の一例を示す図であり、図２１（Ａ）はイラスト１の画像を表示した状態、同図（Ｂ）はイラスト２の画像を表示した状態、同図（Ｃ）はイラスト３の画像を表示した状態を表している。
【図２２】図２２は本発明の第４の実施形態におけるチャート画像の表示中にピント調整を行った場合の一例を示す図であり、図２２（Ａ）はチャート画像、同図（Ｂ）はそのチャート画像にピント状態を表すイラストを表示した状態を表している。
【発明を実施するための形態】
【００１２】
以下、図面を参照して本発明の実施形態を説明する。
【００１３】
（第１の実施形態）
図１は本発明の第１の実施形態に係る投影装置として小型のプロジェクタ装置に例にした場合の外観構成を示す図であり、図１（Ａ）は上から見た場合の斜視図、同図（Ｂ）は下から見た場合の斜視図である。
【００１４】
図１（Ａ）に示すように、このプロジェクタ装置１０は、直方体状の本体ケーシング１１の前面に、投影レンズ１２、２つの位相差センサ１３１及び１３２、受信部１４が設けられている。
【００１５】
投影レンズ１２は、後述するマイクロミラー素子等の空間的光変調素子で形成された光像を投影するためのものであり、ここでは合焦位置及びズーム位置（投影画角）を任意に可変できるものとする。
【００１６】
位相差センサ１３１及び１３２は、それぞれ被写体像に対する視差から三角測距の原理に基づいて被体までの距離、具体的には画像投影面までの距離を測定するものである。具体的には、縦に配置された位相差センサ１３１の測距レンズ１３ａ，１３ｂで縦方向（垂直方向）の被写体までの距離を測定し、横に配置された位相差センサ１３２の測距レンズ１３ｃ，１３ｄで横方向（水平方向）の被写体までの距離を測定するように構成されている。
【００１７】
Ｉｒ受信部１４は、図示しないこのプロジェクタ装置１０のリモートコントローラからのキー操作信号が重畳された赤外光を受信する。
【００１８】
また、本体ケーシング１１の上面には、本体メインキー／インジケータ１５、スピーカ１６、及びカバー１７が配設される。本体メインキー／インジケータ１５には、本装置の電源をＯＮ／ＯＦＦするための電源キー１５ａの他、ズームキー１５ｂ、フォーカスキー１５ｃ、「ＡＦＫ」キー１５ｄ、メニューキー１５ｅなどを含む各種操作キーが設けられている。
【００１９】
ズームキー１５ｂは、「△」「▽」キーの操作によりズームアップ（ｔｅｌｅ）及びズームダウン（ｗｉｄｅ）を指示する。フォーカスキー１５ｃは、手動操作によるピント調整（マニュアルフォーカス）に用いられるものであり、「△」「▽」キーの操作により合焦位置の前方向及び後方向への移動を指示する。「ＡＦＫ」キー１５ｄは、自動合焦（Ａｕｔｏｍａｔｉｃ Ｆｏｃｕｓ）と自動台形補正（Ａｕｔｏｍａｔｉｃ Ｋｅｙｓｔｏｎｅ ｃｏｒｒｅｃｔｉｏｎ）の即時実行を指示する。メニューキー１５ｅは、投影動作に関する各種メニュー項目の表示を指示する。
【００２０】
スピーカ１６は、動画の再生時等の音声を拡声出力する。カバー１７は、ここでは図示しないサブキーを操作する際に開閉する。該サブキーは、図示しないこのプロジェクタ装置１０のリモートコントローラを使用せずに、本体メインキー／インジケータ１５のキーでは設定指示できない詳細な各種動作等を操作する。
【００２１】
さらに、図１（Ｂ）に示すように、本体ケーシング１１の背面には、入出力コネクタ部１８、Ｉｒ受信部１９、及びＡＣアダプタ接続部２０が配設される。
【００２２】
入出力コネクタ部１８は、例えばパーソナルコンピュータ等の外部機器との接続のためのＵＳＢ端子、映像入力用のミニＤ−ＳＵＢ端子、Ｓ端子、及びＲＣＡ端子と、音声入力用のステレオミニ端子等からなる。
【００２３】
Ｉｒ受信部１９は、前記Ｉｒ受信部１４と同様に、図示しないリモートコントローラからのキー操作信号が重畳された赤外光を受信する。ＡＣアダプタ接続部２０は、電源となる図示しないＡＣアダプタからのケーブルを接続する。
【００２４】
また、本体ケーシング１１の下面には、背面側に一対の固定脚部２１，２１が取り付けられると共に、前面側に高さ調節が可能な調整脚部２２が取り付けられる。調整脚部２２は、そのねじ回転位置を手動で操作することにより、正確には投影レンズ１２の投影方向の鉛直方向成分、すなわち仰角を調整する。
【００２５】
図２はプロジェクタ装置１０の電子回路の機能構成を示すブロック図である。図中、前記入出力コネクタ部１８より入力された各種規格の画像信号が、入出力インタフェース（Ｉ／Ｆ）３１、システムバスＳＢを介して画像変換部３２で所定のフォーマットの画像信号に統一された後に表示エンコーダ３３へ送られる。
【００２６】
表示エンコーダ３３は、送られてきた画像信号をビデオＲＡＭ３４に展開記憶させた上で、このビデオＲＡＭ３４の記憶内容からビデオ信号を発生して表示駆動部３５に出力する。
【００２７】
この表示駆動部３５は、送られてきた画像信号に対応して適宜フレームレート、例えば３０［フレーム／秒］で空間的光変調素子（ＳＯＭ）３６を表示駆動するもので、この空間的光変調素子３６に対して、例えば超高圧水銀灯等の光源ランプ３７が出射する高輝度の白色光を照射することで、その反射光で光像が形成され、投影レンズ１２を介して図２では不図示のスクリーンに投影表示される。前記投影レンズ１２は、レンズモータ（Ｍ）３８の駆動により光軸方向に移動する。
【００２８】
前記各回路のすべての動作制御を司るのが制御部３９である。この制御部３９は、マイクロコンピュータからなり、ＣＰＵと、ＲＯＭ、ＲＡＭ等を備える。
【００２９】
また、この制御部３９には、システムバスＳＢを介して画像記憶部４０、音声処理部４１、測距処理部４２が接続される。
【００３０】
画像記憶部４０は、例えばフラッシュメモリ等からなり、後述するチャート画像（横チャート画像及び縦チャート画像）やユーザロゴ画像の画像データを記憶するもので、制御部３９に指示された画像データを適宜読出して前記表示エンコーダ３３へ送出し、それらの画像を投影レンズ１２により投影表示させる。
【００３１】
音声処理部４１は、ＰＣＭ音源等の音源回路を備え、投影表示動作時に与えられる音声データをアナログ化し、前記スピーカ１６を駆動して拡声放音させる。
【００３２】
測距処理部４２は、測距レンズ１３ａ，１３ｂを有する位相差センサ１３１と測距レンズ１３ｃ，１３ｄを有する位相差センサ１３２を駆動して、後述する投影表示されたチャート画像中の任意のポイント位置までの距離を測定する。
【００３３】
なお、前記本体メインキー／インジケータ１５とカバー１７内に備えられる本体サブキーによりキー／インジケータ部４３を構成し、このキー／インジケータ部４３におけるキー操作信号が直接制御部３９に入力される。
【００３４】
さらに、このプロジェクタ装置１０には、ピント調整時に参照されるテーブル４４と、光源ランプ３７の電源電圧を制御するための電源制御部４５が備えられる。
【００３５】
図３はレンズ位置と合焦距離との関係を説明するための図である。
【００３６】
図３（Ａ）に示すように、投影レンズ１２は光軸方向に移動自在に支持されており、レンズモータ３８の回転により、図示せぬギア機構を介して所定単位で段階的に移動する。具体的には、フォーカスキー１５ｃの１回押下する毎にレンズモータ３８が例えば１０回転ずつ回転し、それに伴い投影レンズ１２がＰ０〜Ｐｎの範囲内を１ステップずつ移動する。このレンズモータ３８の回転軸には、レンズモータ３８の回転数を検出するためのセンサ３８ａが取り付けられており、投影レンズ１２の初期位置をＰ０としてセンサ３８ａの出力信号からレンズモータ３８の回転数をカウントすることで、投影レンズ１２がどこに位置しているのかを検出できるように構成されている。
【００３７】
この投影レンズ１２の位置によって合焦距離が予め決められている。合焦距離とは、ピント（焦点）が合う距離のことを言い、その距離は投影レンズ１２の位置によって異なる。通常、投影レンズ１２が広角側（Ｐ０側）にあれば、合焦距離は短くなり、投影レンズ１２が望遠側（Ｐｎ側）にあれば、合焦距離は長くなる。
【００３８】
図３（Ｂ）に示すように、テーブル４４には、この投影レンズ１２の位置Ｐ０，Ｐ１，Ｐ２，Ｐ３…Ｐｎと合焦距離Ｌ０，Ｌ１，Ｌ２，Ｌ３…Ｌｎとの対応関係が予め記憶されている。なお、これらの具体的な数値については、製品特性に直接関わることであるために省略する。
【００３９】
また、実際には、合焦距離は±αの許容範囲を持ち、その許容範囲内であればピントが合う。通常、これを被写界深度と呼んでおり、被写界深度＝後方合焦距離−前方合焦距離で表される。
【００４０】
ここで、本実施形態の動作を説明する前に、図４乃至図６を参照して、このプロジェクタ装置１０に用いられる位相差センサ方式による角度検出の方法について説明する。なお、ここではプロジェクタ装置１０に設けられた２組の位相差センサ１３１と位相差センサ１３２のうち、水平測距用の位相差センサ１３２を例にして説明するが、垂直測距用の位相差センサ１３１についても同様である。
【００４１】
まず、三角測距の原理について説明する。
【００４２】
図４はその説明図であり、水平測距用の位相差センサ１３２を上から見た場合を示している。位相差センサ１３２は、前記一対の測距レンズ１３ｃ，１３ｄと、この測距レンズ１３ｃ，１３ｄに対向して配設された一対のフォトセンサアレイ５１，５２とから構成されている。
【００４３】
今、位相差センサ１３２から被写体５３までの距離を測定する場合において、被写体５３に対して照射された光の反射光が一方の測距レンズ１３ｃを通じてフォトセンサアレイ５１に結像すると共に、その反射光が他方の測距レンズ１３ｄを通じてフォトセンサアレイ５２に結像する。図中の５４及び５５がその被写体像を示している。
【００４４】
ここで、各測距レンズ１３ｃ、１３ｄの光軸と結像間のそれぞれ距離をｘ１、ｘ２とし、測距レンズ１３ｃ、１３ｄ間の距離をＢ、フォトセンサアレイ５１、５２と測距レンズ１３ｃ、１３ｄ間の距離をｆとすると、被写体５３までの距離ｄは以下のように式で求められる。
ｄ＝Ｂ＊ｆ／（ｘ１＋ｘ２）
前記式において、Ｂ、ｆはセンサ固有の値であるので、被写体５３までの距離ｄはフォトセンサアレイ５１、５２の位相（ｘ１，ｘ２）で求められることになる。
【００４５】
次に、多点測距について説明する。
【００４６】
図５はその説明図であり、前記位相差センサ１３２を構成する一対のフォトセンサアレイ５１、５２はそれぞれに一列に配設された数百ｂｉｔのフォトセンサを有するラインセンサで構成される。これらのフォトセンサを複数のグループに分け、そのグループ毎に測距を行うのが多点測距である。
【００４７】
図５の例では、フォトセンサアレイ５１、５２に含まれるフォトセンサをそれぞれに３つのグループに分け、Ａ１とＡ２グループのフォトセンサを用いてスクリーン５６に向かって右側を測距し、Ｂ１とＢ２グループのフォトセンサを用いてスクリーン５６の中央付近を測距し、Ｃ１とＣ２グループのフォトセンサを用いてスクリーン５６に向かって左側を測距する場合が示されている。
【００４８】
ここで、図６に位相差センサ１３２とスクリーン５６との位置関係を示すと、位相差センサ１３２とスクリーン５６が並行である場合には、スクリーン５６の右側、中央、左側の３つの測定点を測距すると（Ｄ，Ｅ，Ｆとする）、位相差がＤ＝Ｅ＝Ｆといった関係が成り立つ。
【００４９】
一方、スクリーン５６がθだけ傾いて図中の点線で示すような状態になった場合、スクリーン５６の右側、中央、左側の３つの測定点を測距すると（Ｄ´，Ｅ´，Ｆ´とする）、位相差がＤ´＜Ｅ´＜Ｆ´といった関係になる。この場合、スクリーン５６は平面であるから、この３点は一次関数的な直線として表すことができ、この３点の距離からスクリーン５６の傾き角度、つまりは、スクリーン５６に投影された画像の傾き角度を求めることができる。
【００５０】
ところで、上述したような測距を行う場合、位相差センサ１３１，１３２にて各測定点を感知できるように、図７に示すような白黒のパターン画像からなるチャート画像６１，６２が用いられる。
【００５１】
図７は縦／横のチャート画像の一例を示す図であり、図７（Ａ）は垂直測距用に用いられる縦チャート画像６１、同図（Ｂ）は水平測距用に用いられる横チャート画像６２の一例を示している。
【００５２】
縦チャート画像６１には、白黒の明暗パターン６３が当該画像の垂直方向に交互に形成されている。この縦チャート画像６１を用いて測距を行う場合には、明暗パターン６３のコントラストの差を縦方向に設置された位相差センサ１３１によって読み取り、垂直走査ラインＶＬ上の３箇所の測定点Ｐａ，Ｐｂ，Ｐｃ（明点）までの距離をそれぞれ測定することになる。
【００５３】
また、図７（Ｂ）に示すように、横チャート画像６２は前記縦チャート画像６１のパターンの向きを変えたものと同じである。この横チャート画像６２には、白黒の明暗パターン６４が当該画像の水平方向に交互に形成されている。
【００５４】
この横チャート画像６２を用いて測距を行う場合には、明暗パターン６４のコントラストの差を横方向に設置された位相差センサ１３２にて読み取り、水平走査ラインＨＬ上の３箇所の測定点Ｐｄ，Ｐｅ，Ｐｆ（明点）までの距離をそれぞれ測定することになる。
【００５５】
これらの縦チャート画像６１及び横チャート画像６２は、図３に示す画像記憶部４０に記憶保持されており、測距を行う際に前記画像記憶部４０から選択的に読み出されて投影表示される。
【００５６】
以下に、第１の実施形態の動作について詳しく説明する。
【００５７】
電源がオンされている状態で、本体メインキー／インジケータ１５の「ＡＦＫ」キー１５ｄを操作すると、自動合焦及び自動台形補正の処理が実行される。なお、「ＡＦＫ」キー１５ｄの操作に対応して自動合焦と自動台形補正の処理を１回のみ実行するワンショットモードと、「ＡＦＫ」キー１５ｄが１回目に操作されてから再度２回目に操作するまでの間、自動合焦と自動台形補正の処理を繰返し連続して実行するコンティニューモードがあり、そのいずれか一方を、予め本体メインキー／インジケータ１５のメニューキー１５ｅなどの操作によりユーザが任意に切換設定しておくものとする。
【００５８】
図８はこの自動合焦と自動台形補正の処理内容を示すフローチャートである。なお、このフローチャートに示される処理は、制御部３９が内部のＲＯＭに記憶されているプログラムを読み込むことにより実行される。他の各フローチャートに示される処理についても同様であり、制御部３９がこれらの処理を実現するためのプログラムを読み込むことで実行される。
【００５９】
まず、投影レンズ１２を含む投影系により、画像記憶部４０に記憶されている画像データに基づいて、図７（Ａ）に示すような縦チャート画像６１をスクリーン上に投影表示させる（ステップＡ１１，Ａ１２）。このような縦チャート画像６１を投影表示させた状態で、垂直測距用の位相差センサ１３１を駆動し、垂直走査ラインＶＬ上に存在する３箇所の測定点Ｐａ，Ｐｂ，Ｐｃ（明点）を順次読み取ることにより（ステップＡ１３）、これらの測定点Ｐａ，Ｐｂ，Ｐｃの各投影画像位置までの距離を順次測定する（ステップＡ１４）。
【００６０】
なお、各測定点Ｐａ，Ｐｂ，Ｐｃを測距する順番は、特に限定されるものではなく、例えば中央ポイントとなる測定点Ｐ２を先に測定した後、画面に向かって上ポイントとなる測定点Ｐ１、そして、画面に向かって下ポイントとなる測定点Ｐ３といった順で測定することでも良い。
【００６１】
また、ここでは縦チャート画像６１の投影により垂直測距を先に行うようにしたが、先に横チャート画像６２を投影して水平測距を行うことでも良い。ここで得られた各測定点Ｐａ，Ｐｂ，Ｐｃの距離データは、制御部３９に設けられた測距結果記憶部３９ａに記憶保持される。
【００６２】
各測定点Ｐａ，Ｐｂ，Ｐｃの測距後、前記測距結果記憶部３９ａに記憶された各測定点Ｐａ，Ｐｂ，Ｐｃの距離データに基づいて、投影光軸に対するスクリーン投影面の上下方向（垂直方向）の角度「θｖ」を算出する（ステップＡ１５）。
【００６３】
次に、前記縦チャート画像６１に代え、今度は図７（Ｂ）に示すような横チャート画像６２を画像記憶部４０から読み出して投影表示させる（ステップＡ１６，Ａ１７）。このような横チャート画像６２を投影表示させた状態で、水平測距用の位相差センサ１３２を駆動し、垂直走査ラインＨＬ上に存在する３箇所の測定点Ｐｄ，Ｐｅ，Ｐｆ（明点）を順次読み取ることにより（ステップＡ１８）、これらの測定点Ｐｄ，Ｐｅ，Ｐｆの各投影画像位置までの距離を順次測定する（ステップＡ１９）。
【００６４】
なお、各測定点Ｐｄ，Ｐｅ，Ｐｆを測距する順番は、特に限定されるものではなく、例えば中央ポイントとなる測定点Ｐ５を先に測定した後、画面に向かって左ポイントとなる測定点Ｐ４、そして、画面に向かって右ポイントとなる測定点Ｐ６といった順で測定することでも良い。ここで得られた各測定点Ｐｄ，Ｐｅ，Ｐｆの距離データは、制御部３９に設けられた測距結果記憶部３９ａに記憶保持される。
【００６５】
各測定点Ｐｄ，Ｐｅ，Ｐｆの測距後、前記測距結果記憶部３９ａに記憶された各測定点Ｐｄ，Ｐｅ，Ｐｆの距離データに基づいて、投影光軸に対するスクリーン投影面の左右方向（垂直方向）の角度「θｈ」を算出する（ステップＡ２０）。
【００６６】
次いで、前記ステップＡ１４またはＡ１９で測定された中央に位置する測定点Ｐ２またはＰ５の投影画像位置までの距離をそのまま投影画像を代表する距離値であるものとして取得し、レンズモータ３８により、その距離値に応じた合焦位置となるように投影レンズ１２を移動させてスクリーン上の投影画像にピントを合わせる（ステップＡ２１）。
【００６７】
その後、前記ステップＡ１５、Ｂ１０で得られた画像を投影しているスクリーン投影面の上下方向の角度「θｖ」及び左右方向の角度「θｈ」を基にして、スクリーン投影面が全体でどの方向にどれだけの角度で斜めになっており、投影画像を入力される画像信号と同一の適正なアスペクト比の矩形とすればよいのか、必要な台形補正の角度を算出し、表示エンコーダ３３にビデオＲＡＭ３４で展開記憶させる画像データの上辺と下辺の比、及び左辺と右辺の比を補正させるように設定した上で（ステップＡ２２）、ここでの一連の処理を終える。
【００６８】
このように、ユーザが本体メインキー／インジケータ１５の「ＡＦＫ」キー１５ｄを操作すると、そのキー操作に対応して画像投影面中の縦横各方向に対応した複数の測定点までの距離が測定され、その測定結果に基づいて投影画像の自動合焦と自動台形補正が同時に実行される。したがって、１回のキー指示操作でより簡単且つ迅速に投影画像の合焦位置及び台形歪を自動調整できる。
【００６９】
次に、ユーザが手動操作によりピント調整を行う場合について説明する。
【００７０】
図９はピント調整処理の動作を示すフローチャートである。今、スクリーン上にピント調整対象となる任意の画像が投影表示されている状態で、ユーザが図１に示した本体メインキー／インジケータ１５のフォーカスキー１５ｃを操作してピント調整を行う場合を想定する。
【００７１】
ユーザがスクリーン上の投影画像のボケ状態を見ながら、フォーカスキー１５ｃを操作すると、そのキー操作に従ってレンズモータ３８が回転し、図示せぬギア機構を介して投影レンズ１２が光軸方向に所定単位で移動してピントが調整される（ステップＢ１１）。このような手動操作によるピント調整をマニュアルフォーカスと呼び、また、そのときの調整動作をフォーカス動作と呼ぶ。
【００７２】
ここで、一定時間の間（数秒間）、フォーカス動作がなければ（ステップＢ１２のＹｅｓ）、制御部３９は、ピントの調整が完了したものと判断して、以下のような処理を実行する。
【００７３】
すなわち、ピントが調整されたことを受けて、制御部３９は、まず、現在表示されている投影画像に代わって測距用のチャート画像をスクリーン上に投影表示する（ステップＢ１３）。この場合、投影画像の台形補正は必要ないので、図７に示した縦チャート画像６１または横チャート画像６２をスクリーン上に投影表示して、当該画像上の少なくとも２点を位相差センサ１３１または位相差センサ１３２により読み取ってスクリーンまでの距離を測定する（ステップＢ１４）。なお、位相差センサ１３１，１３２を用いた測距の方法については、図４で詳しく説明してあるため、ここでは省略する。
【００７４】
次に、制御部３９は、ピント調整された投影レンズ１２の位置を検出し、そのレンズ位置に対応した合焦距離を取得する（ステップＢ１５）。詳しくは、図１０に示すように、ピント調整操作によって駆動されるレンズモータ３８の回転数を検出し（ステップＣ１１）、その回転数に基づいて投影レンズ１２の初期位置Ｐ０からの移動量を算出し（ステップＣ１２）、その得られた移動量から投影レンズ１２の現在位置を特定する（ステップＣ１３）。図３（Ａ）で説明したように、レンズモータ３８の回転数はモータ回転軸に取り付けられたセンサ３８ａによって検出される。
【００７５】
このようにして、投影レンズ１２の現在位置を特定すると、図３（Ｂ）に示したテーブル４４を参照して、そのレンズ位置に対応した合焦距離を取得する（ステップＣ１４）。例えば、フォーカスキー１５ｃの操作により投影レンズ１２がＰ１に移動したものとすれば、合焦距離としてＬ１といった理論値が得られる。
【００７６】
図９に戻って、制御部３９は、前記ステップＢ１４で得られたスクリーンまでの距離と前記ステップＢ１５で得られた合焦距離とを比較して（ステップＢ１６）、その差を求める（ステップＢ１７）。
【００７７】
両者の距離に差がなければ、つまり、スクリーンまでの距離と合焦距離とが一致している場合には、所謂「ジャスピン」と言われる状態であり、その際に、制御部３９はスクリーン上の投影画像に対してピントが合っている時の処理を行う（ステップＢ１９）。なお、実際には、前記合焦距離は±αの許容範囲を持つため、その許容範囲内であればピントが合っているものとして処理することでも良い。
【００７８】
一方、前記許容範囲を超えて両者の距離に差があれば、ピントが合っていない状態である。この場合、「ピントがまったく合っていない状態」と「ピントがやや合ってない状態」とに分けて処理を行うものとする（ステップＢ１８，Ｂ２０）。具体的には、例えば図３（Ｂ）に示したテーブル４４のレコード数が２００あったとすると、その２０％の４レコード分までを閾値として、その閾値以下の差であれば、「ピントがやや合ってない状態」とする。また、閾値を超える差であれば、「ピントがまったく合っていない状態」とする。
【００７９】
ここで、第１の実施形態では、このようなマニュアルフォーカス時におけるピントの状態（フォーカス状態とも言う）をユーザに視覚的に知らしめるため、そのピント状態に応じて光源ランプ３７の電源電圧を制御して投影画面を変化させることを特徴とする。
【００８０】
図１１にその詳細フローを示す。
【００８１】
すなわち、ステップＤ１１において、スクリーンまでの距離と合焦距離との差がなく、ジャスピンの状態であれば、制御部３９は、図２に示した電源制御部４５を制御して光源ランプ３７の電源電圧を通常の電圧レベル（Ｖ０とする）よりも高いレベル（Ｖ３とする）に設定することにより（ステップＤ１４）、光源ランプ３７から出射される白色光の量を増やして投影画面を明るくする（ステップＤ１５）。
【００８２】
一方、スクリーンまでの距離と合焦距離とに差があり、その差が前記閾値（４レコード分）の範囲内であれば、制御部３９は、光源ランプ３７の電源電圧を中レベル（Ｖ２とする）に設定することにより（ステップＤ１６）、光源ランプ３７から出射される白色光の量を若干減じて投影画面をやや暗くする（ステップＤ１７）。この場合、Ｖ２＜Ｖ０＜Ｖ３の関係にある。
【００８３】
また、スクリーンまでの距離と合焦距離とに差があり、その差が前記閾値（４レコード分）を超える場合であれば、制御部３９は、光源ランプ３７の電源電圧を低レベル（Ｖ１とする）に設定することにより（ステップＤ１２）、光源ランプ３７から出射される白色光の量を減じて投影画面を暗くする（ステップＤ１３）。この場合、Ｖ１＜Ｖ２＜Ｖ０＜Ｖ３の関係にある。
【００８４】
図１２は投影画面の明るさの変化例を示す図であり、図１２（Ａ）は電源電圧を低レベルＶ１に設定して投影画面を暗くした状態、同図（Ｂ）は電源電圧を高レベルＶ３に設定して投影画面を明るくした状態、同図（Ｃ）は中レベルＶ２により投影画面をやや暗くした状態を表している。なお、図中の「ＡＢＣ１２３」の文字列は投影画像の一例を示したもので、その文字列自体に意味はない。
【００８５】
このような画面の明るさの変化は、ピント調整時に表示中の投影画像に対して一時的に施されるものであり、数秒後に元の状態に戻る。そして、ユーザが再びフォーカスキー１５ｃを押下操作してピントを再調整すれば、前記同様の処理が繰り返される。つまり、まず、チャート画像が表示されてスクリーンまでの距離が測定され、その測定によって得られたスクリーンまでの距離とピント調整による合焦距離との差から現在のピントの状態が判断され、その状態が投影画面の明るさ変化によって知らしめられることになる。
【００８６】
このように、ピント調整を行ったときに、そのときに設定されたピントの状態に応じて投影画面の明るさが変化するので、ユーザはその変化からピントが合っているのか否かを正確に把握することができる。これにより、ピントの状態が判らず、投影画像を注視しながら調整操作を何度も繰り返す手間を省いて、簡単かつ正確にピントを合わせて投影画像を綺麗に映し出すことが可能となる。
【００８７】
また、このようなピント状態の表示は、装置側の画面に行われるのではなく、スクリーン上の投影画面に対して施されるため、ユーザは目線をスクリーンに向けたままで、ピント調整の結果を容易に確認できるといったメリットもある。
【００８８】
（第２の実施形態） 
次に、本発明の第２の実施形態について説明する。
【００８９】
前記第１の実施形態では、ピントの状態に応じて投影画面の明るさを変化させたが、第２の実施形態では、特定の色の強調表示によりピントの状態を知らしめることを特徴とする。
【００９０】
以下にその具体的な処理に説明する。なお、図９のステップＢ１１〜Ｂ１６までの処理は前記第１の実施形態と同様であるため、ここではピント状態の表示処理についてのみ説明する。
【００９１】
図１３は本発明の第２の実施形態におけるプロジェクタ装置１０によるピント状態の表示処理の詳細を示すフローチャートである。
【００９２】
チャート画像を利用してスクリーンまでの距離が測定され、その測定によって得られたスクリーンまでの距離とピント調整による合焦距離との差が求められると、以下のような処理が制御部３９によって実行される。
【００９３】
すなわち、ステップＥ１１において、スクリーンまでの距離と合焦距離との差がなく、ジャスピンの状態であれば、制御部３９は、非強調表示モードを設定することにより（ステップＥ１４）、図２に示した表示エンコーダ３３から画像信号をビデオＲＡＭ３４に展開する際に、特定の色を強調せずに通常通り表示する（ステップＥ１５）。
【００９４】
一方、スクリーンまでの距離と合焦距離とに差があり、その差が前記閾値（４レコード分）の範囲内であれば、第２の強調表示モードを設定することにより（ステップＥ１６）、表示エンコーダ３３から画像信号をビデオＲＡＭ３４に展開する際に、ガンマ補正値を変化させることで特定の色を第２レベルで強調表示する（ステップＥ１７）。
【００９５】
また、スクリーンまでの距離と合焦距離とに差があり、その差が前記閾値（４レコード分）を超える場合であれば、第１の強調表示モードを設定することにより（ステップＥ１２）、表示エンコーダ３３から画像信号をビデオＲＡＭ３４に展開する際に、強調の度合いを強くするようにガンマ補正値をさらに変化させて、前記第２レベルよりも高い第１レベルで強調表示する（ステップＥ１３）。
【００９６】
前記特定の色とは、例えば赤色である。これにより、ピントが合っていない場合には投影画像の赤色成分が強調表示され、ピントが大きく外れていれば、その赤色成分がさらに強調表示されることになる。
【００９７】
図１５は強調表示の一例を示す図であり、図１５（Ａ）は第１レベルで特定色を強調表示した状態、同図（Ｂ）は非強調表示の状態、同図（Ｃ）は第２レベルで特定色を強調表示した状態を表している。なお、図中の「ＡＢＣ１２３」の文字列は投影画像の一例を示したもので、その文字列自体に意味はない。
【００９８】
このような強調表示は、ピント調整時に表示中の投影画像に対して一時的に施されるものであり、数秒後に元の状態に戻る。そして、ユーザが再びフォーカスキー１５ｃを押下操作してピントを再調整すれば、前記同様の処理が繰り返される。つまり、まず、チャート画像が表示されてスクリーンまでの距離が測定され、その測定によって得られたスクリーンまでの距離とピント調整による合焦距離との差から現在のピントの状態が判断され、その状態が特定色の強調表示によって知らしめられることになる。
【００９９】
このように、ピント調整を行ったときに、そのときに設定されたピントの状態に応じて特定色を強調表示することでも、前記第１の実施形態と同様に、ユーザはピントが合っているのか否かを正確に把握することができる。これにより、ピントの状態が判らず、投影画像を注視しながら調整操作を何度も繰り返す手間を省いて、簡単かつ正確にピントを合わせて投影画像を綺麗に映し出すことが可能となる。
【０１００】
さらに、このような強調表示による方法は、前記第１の実施形態のように画面の明るさを変化させる方法に比べて、画面の表示変化を視認しやすいため、現在のピント状態を正確に把握できる。
【０１０１】
なお、図１５（Ａ），（Ｃ）の例のように画面全体に強調表示を施すと、強調表示した状態が分かりにくいため、例えば画面の中で強調表示する領域を部分的に設定しておき、その設定領域内で特定の色を強調表示するようにしても良い。このようにすれば、ピントが合わずに強調表示された状態を画面の非強調領域との違いからより確実に知らしめることができる。
【０１０２】
さらに、例えばピントが合っている場合には「青色」、ピントがやや合ってない場合には「黄色」、ピントがまったく合ってない場合には「赤色」といったように、ピントの状態に応じて強調色を分けることでも良い。なお、色を変えて強調するためには、図１４に示すように、ＲＧＢの各８ビットの色データを増減して強調表示すれば良い。
【０１０３】
（第３の実施形態）
次に、本発明の第３の実施形態について説明する。
【０１０４】
前記第１および第２の実施形態では、投影画面の明るさや色を変化させることでピントの状態をユーザに知らしめたが、第３の実施形態では、ピント状態を表す表示体を表示することで、これを実現するものである。なお、ここで言う表示体とは、具体的には記号、マーク、イラスト等が含まれる。
【０１０５】
表示体として記号を表示する場合を例にして説明すると、まず、図１６に示すように、予め画像記憶部４０にピント状態を表す記号の画像データを記憶しておく。ここでは、「×」，「○」，「△」といった記号１，２，３の画像データが画像記憶部４０の表示体領域４０ａ〜４０ｃに記憶された例が示されている。記号１はピントがまったく合っていない場合、記号２はピントが合っている場合、記号３はピントがやや合っていない場合に用いられる。
【０１０６】
以下にその具体的な処理に説明する。なお、図９のステップＢ１１〜Ｂ１６までの処理は前記第１の実施形態と同様であるため、ここではピント状態の表示処理についてのみ説明する。
【０１０７】
図１７は第３の実施形態におけるピント状態の表示処理の詳細を示すフローチャートである。
【０１０８】
チャート画像を利用してスクリーンまでの距離が測定され、その測定によって得られたスクリーンまでの距離とピント調整による合焦距離との差が求められると、以下のような処理が制御部３９によって実行される。
【０１０９】
すなわち、ステップＦ１１において、スクリーンまでの距離と合焦距離との差がなく、ジャスピンの状態であれば、制御部３９は、画像記憶部４０の表示体領域４０ｂから記号２の画像データを読み出し（ステップＦ１４）、これを表示エンコーダ３３に送出して表示する（ステップＦ１５）。
【０１１０】
一方、スクリーンまでの距離と合焦距離とに差があり、その差が前記閾値（４レコード分）の範囲内であれば、画像記憶部４０の表示体領域４０ｃから記号３の画像データを読み出し（ステップＦ１６）、これを表示エンコーダ３３に送出して表示する（ステップＦ１７）。
【０１１１】
また、スクリーンまでの距離と合焦距離とに差があり、その差が前記閾値（４レコード分）を超える場合であれば、画像記憶部４０の表示体領域４０ａから記号１の画像データを読み出し（ステップＦ１２）、これを表示エンコーダ３３に送出して表示する（ステップＦ１３）。
【０１１２】
図１８は記号表示の一例を示す図であり、図１８（Ａ）は記号１として「×」の画像７１ａを表示した状態、同図（Ｂ）は記号２として「○」の画像７１ｂを表示した状態、同図（Ｃ）は記号３として「△」の画像７１ｃを表示した状態を表している。なお、図中の「ＡＢＣ１２３」の文字列は投影画像の一例を示したもので、その文字列自体に意味はない。
【０１１３】
このような記号表示は、ピント調整時に表示中の投影画像に対して一時的に施されるものであり、数秒後に元の状態に戻る。そして、ユーザが再びフォーカスキー１５ｃを押下操作してピントを再調整すれば、前記同様の処理が繰り返される。つまり、まず、チャート画像が表示されてスクリーンまでの距離が測定され、その測定によって得られたスクリーンまでの距離とピント調整による合焦距離との差から現在のピントの状態が判断され、その状態が記号表示によって知らしめられることになる。
【０１１４】
このように、ピント調整を行ったときに、そのときに設定されたピントの状態に応じて記号を表示することでも、前記第１の実施形態と同様に、ユーザはピントが合っているのか否かを正確に把握することができる。これにより、ピントの状態が判らず、投影画像を注視しながら調整操作を何度も繰り返す手間を省いて、簡単かつ正確にピントを合わせて投影画像を綺麗に映し出すことが可能となる。
【０１１５】
さらに、このような表示体を表示する方法は、前記第１および第２の実施形態のような画面の明るさや色を変化させる方法に比べて、画面上に表示された表示体の形状から現在のピント状態をより正確に把握できる。
【０１１６】
なお、図１８の例では、投影画像の上にピント状態を表わす記号を重ね表示しているが、ピント調整結果として記号だけの画像を表示することでも良い。また、記号画像の表示位置は特に限定されず、例えば画面の中央などであっても良く、要はユーザがピント調整を行う際に視認しやすい位置であれば良い。
【０１１７】
また、記号の種類は、図１８の例のような図面に限られず、例えば「Ａ」，「Ｂ」，「Ｃ」や、「ＯＫ」，「ＮＧ」などのような文字であっても良い。さらに、その記号種類を多数用意しておき、ユーザがメニュー画面上で任意に選べるようにしても良いし、任意の記号を適宜登録できるようにしても良い。
【０１１８】
また、記号に限らず、マークやイラストであっても良い。イラストを用いた場合の例を図１９乃至図２１に示す。
【０１１９】
表示体としてイラストを表示する場合には、記号表示の場合と同様に、まず、図１９に示すように、予め画像記憶部４０にピント状態を表すイラストの画像データを記憶しておく。ここでは、イラスト１，２，３の画像データが画像記憶部４０の表示体領域４０ａ〜４０ｃに記憶された例が示されている。イラスト１はピントがまったく合っていない場合、イラスト２はピントが合っている場合、イラスト３はピントがやや合っていない場合に用いられる。
【０１２０】
ピント状態の表示処理についても同様である。すなわち、図２０のフローチャートに示すように、ステップＧ１１において、スクリーンまでの距離と合焦距離との差がなく、ジャスピンの状態であれば、制御部３９は、画像記憶部４０の表示体領域４０ｂからイラスト２の画像データを読み出し（ステップＧ１４）、これを表示エンコーダ３３に送出して表示する（ステップＧ１５）。
【０１２１】
一方、スクリーンまでの距離と合焦距離とに差があり、その差が前記閾値（４レコード分）の範囲内であれば、画像記憶部４０の表示体領域４０ｃからイラスト３の画像データを読み出し（ステップＧ１６）、これを表示エンコーダ３３に送出して表示する（ステップＧ１７）。
【０１２２】
また、スクリーンまでの距離と合焦距離とに差があり、その差が前記閾値（４レコード分）を超える場合であれば、画像記憶部４０の表示体領域４０ａからイラスト１の画像データを読み出し（ステップＧ１２）、これを表示エンコーダ３３に送出して表示する（ステップＧ１３）。
【０１２３】
図２１はイラスト表示の一例を示す図であり、図２１（Ａ）はイラスト１の画像７２ａを表示した状態、同図（Ｂ）はイラスト２の画像７２ｂを表示した状態、同図（Ｃ）はイラスト３の画像７２ｃを表示した状態を表している。なお、図中の「ＡＢＣ１２３」の文字列は投影画像の一例を示したもので、その文字列自体に意味はない。
【０１２４】
このようなイラスト表示は、ピント調整時に表示中の投影画像に対して一時的に施されるものであり、数秒後に元の状態に戻る。そして、ユーザが再びフォーカスキー１５ｃを押下操作してピントを再調整すれば、前記同様の処理が繰り返される。つまり、まず、チャート画像が表示されてスクリーンまでの距離が測定され、その測定によって得られたスクリーンまでの距離とピント調整による合焦距離との差から現在のピントの状態が判断され、その状態がイラスト表示によって知らしめられることになる。
【０１２５】
このようなイラストを用いる場合でも、記号を表示する場合と同様に、ピント調整結果としてイラストだけの画像を表示することでも良い。また、イラスト画像の表示位置は特に限定されず、例えば画面の中央などであっても良く、要はユーザがピント調整を行う際に視認しやすい位置であれば良い。
【０１２６】
また、イラストの種類は、図１８の例に限られない。さらに、そのイラスト種類を多数用意しておき、ユーザがメニュー画面上で任意に選べるようにしても良いし、任意のイラストを適宜登録できるようにしても良い。
【０１２７】
（第４の実施形態）
なお、前記第１乃至第３の実施形態では、スクリーン上に投影表示された任意の画像を見ながらピント調整する場合を想定して説明したが、投影画像の台形補正のためにスクリーン上に投影表示される特定のパターン画像を利用してピント調整を行うことも可能である。
【０１２８】
すなわち、図８で説明したように、投影画像の台形補正する場合には、スクリーン上の少なくとも３点の距離を測定する必要があり、そのための特定のパターン画像としてチャート画像６１，６２が投影表示される。そこで、チャート画像６１，６２のどちらか一方が表示された際に、図９に示したような処理を実行することで、ユーザはチャート画像をピント調整の対象画像として利用して、そのチャート画像のボケ具合を見ながらピント調整操作を行うことができる。
【０１２９】
この場合、チャート画像がピント調整中も表示された状態にあるので、ピント状態を示す表示変化は当該チャート画像の投影画面に対して施されることになる。そのときの一例を図２２に示す。
【０１３０】
図２２は本発明の第４の実施形態におけるチャート画像の表示中にピント調整を行った場合の一例を示す図である。
【０１３１】
今、図２２（Ａ）に示すような縦チャート画像６１が表示された状態で、ユーザがその縦チャート画像６１のボケ具合を見ながら、フォーカスキー１５ｃを押下操作してピント調整を行ったとする。
【０１３２】
ピントが調整されると、まず、現在表示中の縦チャート画像６１を用いてスクリーンまでの距離が測定されると共に、ピント調整による合焦距離がテーブル４４から取得される。そして、測定された距離と合焦距離との比較により現在のピント状態が検出され、そのピント状態に応じた表示変化が当該縦チャート画像６１に対して施される。ピント状態に応じた表示変化としては、既に説明したように、投影画面の明るさを変える方法（第１の実施形態）、特定の色を強調表示する方法（第２の実施形態）、表示体を表示する方法（第３の実施形態）があり、そのいずれかの方法を用いるものとする。
【０１３３】
例えば、表示体としてイラストを表示する場合であれば、図１９に示した画像記憶部４０からピント状態に応じてイラスト１，２，３の画像データが選択的に読み出され、図２２（Ｂ）のように縦チャート画像６１の所定の場所に表示される。図２２（Ｂ）では、ピントが合っていることを表すイラスト２の画像７２ｂを表示した例を示している。
【０１３４】
なお、このような表示体の表示は、ピント調整したときに表示中のチャート画像に対して一時的に施されるものであり、数秒後に元の状態に戻る。そして、ユーザが再びフォーカスキー１５ｃを押下操作してピントを再調整すれば、前記同様の処理が繰り返される。
【０１３５】
また、表示体を表示する位置については特に限定されず、チャート画像の中央部分など、ユーザが視認しやすい位置であればどこでも良い。さらに、表示体だけを一時的に表示することでも良い。
【０１３６】
投影画面の明るさを変える方法や、特定の色を強調表示する方法を用いた場合も同様であり、ピント調整操作に伴い、そのときに設定されたピントの状態に応じた表示変化が施されることになる。ただし、チャート画像は、基本的に白黒のパターンだけで構成されるため、投影画面の明るさを変える方法や、特定の色を強調表示する方法では、画面の表示変化が判りづらいため、図２２の例のような表示体を表示する方法を用いることが好ましい。
【０１３７】
このように、投影画像の補正のために表示されるチャート画像をピント調整対象として用いる場合であっても、前記各実施形態と同様の効果を得ることができる。
【０１３８】
なお、前記各実施形態では、「ピントが合っている状態」、「ピントがまったく合っていない状態」、「ピントがやや合ってない状態」の３ケースに分けて表示処理を行ったが、「ピントが合っている状態」と「ピントが合っていない状態、」の２ケースで表示処理を行うようにしても良い。
【０１３９】
さらに、「ピントが合っている状態」のみ、その旨のイラストを表示したり、画面を明るくするなどしてユーザに知らしめることでも、同様の効果を期待できる。
【０１４０】
その他、本発明は前記各実施形態に限らず、その要旨を逸脱しない範囲内で種々変形して実施することが可能である。
【０１４１】
さらに、前記各実施形態には種々の段階の発明が含まれており、開示される複数の構成要件における適宜な組み合わせにより種々の発明が抽出され得る。例えば、実施の形態に示される全構成要件からいくつかの構成要件が削除されても、発明が解決しようとする課題の欄で述べた課題の少なくとも１つが解決でき、発明の効果の欄で述べられている効果の少なくとも１つが得られる場合には、この構成要件が削除された構成が発明として抽出され得る。
【０１４２】
また、上述した各実施形態において記載した手法は、コンピュータに実行させることのできるプログラムとして、例えば磁気ディスク（フレキシブルディスク、ハードディスク等）、光ディスク（ＣＤ−ＲＯＭ、ＤＶＤ−ＲＯＭ等）、半導体メモリなどの記録媒体に書き込んで各種装置に適用したり、そのプログラム自体をネットワーク等の伝送媒体により伝送して各種装置に適用することも可能である。本装置を実現するコンピュータは、記録媒体に記録されたプログラムあるいは伝送媒体を介して提供されたプログラムを読み込み、このプログラムによって動作が制御されることにより、上述した処理を実行する。
【符号の説明】
【０１４３】
１０…プロジェクタ装置、１１…本体ケーシング、１２…投影レンズ、１３１，１３２…位相差センサ、１３ａ，１３ｂ，１３ｃ，１３ｄ…測距レンズ、１４…Ｉｒ受信部、１５…本体メインキー／インジケータ、１５ａ…電源キー、１５ｂ…ズームキー、１５ｃ…フォーカスキー、１５ｄ…「ＡＦＫ」キー、１５ｅ…メニューキー、１６…スピーカ、１７…カバー、１８…入出力コネクタ部、１９…Ｉｒ受信部、２０…ＡＣアダプタ接続部、２１…固定脚部、２２…調整脚部、３１…入出力インタフェース（Ｉ／Ｆ）、３２…画像変換部、３３…表示エンコーダ、３４…ビデオＲＡＭ、３５…表示駆動部、３６…空間的光変調素子（ＳＯＭ）、３７…光源ランプ、３８…レンズモータ（Ｍ）、３８ａ…センサ、３９…制御部、３９ａ…測距結果記憶部、４０…画像記憶部、４０ａ〜４０ｃ…表示体領域、４１…音声処理部、４２…測距処理部、４３…キー／インジケータ部、ＳＢ…システムバス、４４…テーブル、４５…電源制御部、５１，５２…フォトセンサアレイ、５４，５５…被写体像、５６…スクリーン、６１，６２…縦／横のチャート画像、６３，６４…明暗パターン、７１ａ〜７１ｃ…記号画像、７２ａ〜７２ｃ…イラスト画像。
【図１】
0005445650.tif 000002
【図２】
0005445650.tif 000003
【図３】
0005445650.tif 000004
【図４】
0005445650.tif 000005
【図５】
0005445650.tif 000006
【図６】
0005445650.tif 000007
【図７】
0005445650.tif 000008
【図８】
0005445650.tif 000009
【図９】
0005445650.tif 000010
【図１０】
0005445650.tif 000011
【図１１】
0005445650.tif 000012
【図１２】
0005445650.tif 000013
【図１３】
0005445650.tif 000014
【図１４】
0005445650.tif 000015
【図１５】
0005445650.tif 000016
【図１６】
0005445650.tif 000017
【図１７】
0005445650.tif 000018
【図１８】
0005445650.tif 000019
【図１９】
0005445650.tif 000020
【図２０】
0005445650.tif 000021
【図２１】
0005445650.tif 000022
【図２２】
0005445650.tif 000023